(57)【要約】【課題】音声通信回線の接続を確立することなく、予め設定した条件の下で、簡単且つ確実にメッセージを送受信する。【解決手段】送信側のメッセージ送受信機１は、呼び出し回数と送受信したいメッセージとを関連付けしたリストから送信したいメッセージが選択されると、そのメッセージに対応した呼び出し回数が読み込まれ、その呼び出し回数分だけ呼び出し信号の発信が行われるように通信手段を制御する。受信側のメッセージ送受信機２には、着信した呼び出し回数に応じたメッセージがリストから読み込まれ、表示部にそのメッセージが表示される。これにより、送信側のメッセージ送受信機１と受信側のメッセージ送受信機２間の音声通信回線の接続を確立することなく、予め設定した条件の下で、簡単且つ確実にメッセージを送受信することができる。【選択図】　図１
2004072333.tif 000002
【特許請求の範囲】
【請求項１】
受信側と送信側とで予め定められた１又は２以上の情報データの中から、送信側の通信手段で１つの情報データを選択し、
前記選択された情報データに対応する呼び出し信号の発信回数を検出し、
前記検出した発信回数分だけ前記呼び出し信号の発信が行われるように制御し、
受信側の通信手段で断続的に着信する前記呼び出し信号の数をカウントし、
前記呼び出し信号の数と関連付けられた情報データの中から、前記カウントした呼び出し信号の数と対応する情報データを検出し、その検出した情報データを受信側の通信手段に通知する
ことを特徴とする情報データ送受信方法。
【請求項２】
請求項１に記載の情報データ送受信方法であって、
前記情報データは、メッセージデータであることを特徴とする情報データ送受信方法。
【請求項３】
請求項２に記載の情報データ送受信方法であって、
前記検出したメッセージデータを受信側の表示手段に表示することを特徴とする情報データ送受信方法。
【請求項４】
請求項１に記載の情報データ送受信方法であって、
前記情報データは、受信側の通信手段と接続された家電機器を操作する機器操作データであることを特徴とする情報データ送受信方法。
【請求項５】
請求項４に記載の情報データ送受信方法であって、
前記受信側の通信手段は、検出した機器操作データに応じて前記家電機器を動作させることを特徴とする情報データ送受信方法。
【請求項６】
請求項５に記載の情報データ送受信方法であって、
前記家電機器が正常に動作した情報又は正常に動作しなかった情報を、受信側の通信手段から送信側の通信手段にフィードバックすることを特徴とする情報データ送受信方法。
【請求項７】
請求項６に記載の情報データ送受信方法であって、
前記送信側の通信手段へのフィードバックは、前記家電機器が正常に動作し又は正常に動作しなかったときに応じて予め決められた呼び出し信号の回数をフィードバック情報としたことを特徴とする情報データ送受信方法。
【請求項８】
請求項１〜請求項７のうち何れかに記載の情報データ送受信方法であって、
前記情報データは、ｎ次元のデータ構造であることを特徴とする情報データ送受信方法。
【請求項９】
受信側と送信側とで予め定められた１又は２以上の情報データの中から１つを選択し、
前記選択された情報データに対応する呼び出し信号の発信回数を検出し、
前記検出した発信回数分だけ前記呼び出し信号の発信が行われるように制御する
ことを特徴とする情報データ送信方法。
【請求項１０】
請求項９に記載の情報データ送信方法であって、
前記情報データは、メッセージデータであることを特徴とする情報データ送信方法。
【請求項１１】
請求項９に記載の情報データ送信方法であって、
前記情報データは、遠隔地にある家電機器を操作する機器操作データであることを特徴とする情報データ送信方法。
【請求項１２】
請求項９〜請求項１１の何れかに記載の情報データ送信方法であって、
前記情報データは、ｎ次元のデータ構造であることを特徴とする情報データ送信方法。
【請求項１３】
断続的に着信する呼び出し信号の数をカウントし、
前記呼び出し信号の数と関連付けられた情報データの中から、前記カウントした呼び出し信号の数と対応する情報データを検出し、その検出した情報データを受信側の通信手段に通知する
ことを特徴とする情報データ受信方法。
【請求項１４】
請求項１３に記載の情報データ受信方法であって、
前記情報データは、メッセージデータであることを特徴とする情報データ受信方法。
【請求項１５】
請求項１３に記載の情報データ受信方法であって、
前記検出したメッセージデータを受信側の表示手段に表示することを特徴とする情報データ受信方法。
【請求項１６】
請求項１３に記載の情報データ受信方法であって、
前記情報データは、受信側の通信手段と接続された家電機器を操作する機器操作データであることを特徴とする情報データ受信方法。
【請求項１７】
請求項１６に記載の情報データ受信方法であって、
前記受信側の通信手段は、検出した機器操作データに応じて前記家電機器を動作させることを特徴とする情報データ受信方法。
【請求項１８】
受信側と送信側とで予め定められた１又は２以上の情報データの中から１つを選択するステップと、
前記選択されたメッセージに対応する呼び出し信号の発信回数を検出するステップと、
前記検出した発信回数分だけ前記呼び出し信号の発信が行われるように制御するステップとを
コンピュータに実行させるための情報データ送信プログラムを記憶したコンピュータ読み取り可能な記憶媒体。
【請求項１９】
断続的に着信する呼び出し信号の数をカウントするステップと、
前記呼び出し信号の数と関連付けられた情報データの中から、前記カウントした呼び出し信号の数と対応する情報データを検出し、その検出した情報データを受信側の通信手段に通知するステップとを
コンピュータに実行させるための情報データ受信プログラムを記憶したコンピュータ読み取り可能な記憶媒体。
【請求項２０】
受信側と送信側とで予め定められた１又は２以上の情報データの中から１つを選択する手段と、
前記選択された情報データに対応する呼び出し信号の発信回数を検出する手段と、
前記検出した発信回数分だけ前記呼び出し信号の発信が行われるように制御する手段とを備えた
ことを特徴とする送信機。
【請求項２１】
断続的に着信する呼び出し信号の数をカウントする手段と、
前記呼び出し信号の数と関連付けられた情報データの中から、前記カウントした呼び出し信号の数と対応する情報データを検出し、その検出した情報データを受信側の通信手段に通知する手段とを備えた
ことを特徴とする受信機。
【請求項２２】
請求項２１に記載の受信機であって、
前記情報データは、メッセージデータであることを特徴とする受信機。
【請求項２３】
請求項２２に記載の受信機であって、
前記検出したメッセージデータを受信側の表示手段に表示する手段を有することを特徴とする受信機。
【請求項２４】
請求項２１に記載の受信機であって、
前記情報データは、受信側の通信手段と接続された家電機器を操作する機器操作データであることを特徴とする受信機。
【請求項２５】
請求項２４に記載の受信機であって、
前記受信側の通信手段は、検出した機器操作データに応じて前記家電機器を動作させることを特徴とする受信機。
【請求項２６】
請求項２１〜請求項２５に記載の受信機であって、
前記情報データは、ｎ次元のデータ構造であることを特徴とする受信機。
【請求項２７】
情報データを選択する選択手段と、
前記情報データに関連付けられた呼び出し信号の発信回数を検出する検出手段と、
発信を制御する制御手段と、
着信する前記呼び出し信号の数をカウントするカウント手段と、
前記カウントした呼び出し信号の数と対応する情報データを検出する情報データ検出手段と、
検出された前記情報データを通知する通知手段とを備え、
情報データを送信するときは、前記選択手段が受信側と送信側とで予め定められた１又は２以上の情報データの中から１つの情報データを選択し、前記検出手段が前記選択された情報データに対応する呼び出し信号の発信回数を検出し、前記制御手段が前記検出した発信回数分だけ前記呼び出し信号の発信が行われるように制御し、
情報データを受信するときは、前記カウント手段が断続的に着信する呼び出し信号の数をカウントし、前記情報データ検出手段が前記呼び出し信号の数と関連付けられた情報データの中から、前記カウントした呼び出し信号の数と対応する情報データを検出し、前記通知手段が前記検出した情報データを通知する
ことを特徴とする送受信機。
【請求項２８】
請求項２７に記載の送受信機であって、
前記検出した情報データを表示手段に表示する手段を有することを特徴とする送受信機。
【請求項２９】
受信側と送信側とで予め定められた１又は２以上の情報データの中から１つを選択する手段と、前記選択された情報データに対応する呼び出し信号の発信回数を検出する手段と、前記検出した発信回数分だけ前記呼び出し信号の発信が行われるように制御する手段とを有した送信機と、
断続的に着信する呼び出し信号の数をカウントする手段と、前記呼び出し信号の数と関連付けられた情報データの中から、前記カウントした呼び出し信号の数と対応する情報データを検出し、その検出した情報データを通知する手段とを有した受信機と、
前記送信機の前記制御手段からの指令に基づいて前記発信回数分だけの呼び出し信号を前記受信機に発信する交換局とからなる
ことを特徴とする情報データ送受信システム。
【請求項３０】
請求項２９に記載の情報データ送受信システムであって、前記情報データは、メッセージデータであることを特徴とする情報データ送受信システム。
【請求項３１】
請求項２９に記載の情報データ送受信システムであって、前記情報データは、前記受信機と接続された家電機器を操作する機器操作データであることを特徴とする情報データ送受信システム。
【請求項３２】
請求項３１に記載の情報データ送受信システムであって、前記受信機は、検出した機器操作データに応じて前記家電機器を動作させる機器操作手段を有していることを特徴とする情報データ送受信システム。
【請求項３３】
受信側と送信側とで予め定められた１又は２以上の情報データの中から１つを選択するステップと、
前記選択された情報データに対応する呼び出し信号の発信回数を検出するステップと、
前記検出した発信回数分だけ前記呼び出し信号の発信が行われるように制御するステップとを
コンピュータに実行させるための情報データ送信プログラム。
【請求項３４】
断続的に着信する呼び出し信号の数をカウントするステップと、
前記呼び出し信号の数と関連付けられた情報データの中から、前記カウントした呼び出し信号の数と対応する情報データを検出し、その検出した情報データを通知するステップとを
コンピュータに実行させるための情報データ受信プログラム。
【請求項３５】
請求項３４に記載の情報データ受信プログラムであって、検出した情報データに応じて家電機器を動作させるステップを備えたことを特徴とする情報データ受信プログラム。
【請求項３６】
請求項３５に記載の情報データ受信プログラムであって、前記家電機器が正常に動作した情報又は正常に動作しなかった情報を、送信先にフィードバックするステップを備えたことを特徴とする情報データ受信プログラム。
【発明の詳細な説明】
【０００１】
【発明の属する技術分野】
本発明は、送信端末と受信端末間の音声／情報通信回線の接続を確立することなくメッセージの交換や遠隔地からの家電機器の操作を可能とした、情報データ送受信方法、情報データ送信方法、情報データ受信方法、コンピュータに実行させるための情報データ送信プログラムを記憶したコンピュータ読み取り可能な記憶媒体、コンピュータに実行させるための情報データ受信プログラムを記憶したコンピュータ読み取り可能な記憶媒体、送信機、受信機、送受信機、情報データ送受信システム、コンピュータに実行させるための情報データ送信プログラム、及びコンピュータに実行させるための情報データ受信プログラムに関する。
【０００２】
【従来の技術】
通常、電話を掛ける場合、発信者は、相手が電話に出ることを期待して掛けるものである。しかしながら、相手が不在の場合、ある呼び出し回数以上になると、例えば留守番電話につながってしまうことがある。これでは、発信者は、相手が電話に出ることを期待して掛けたにも拘わらず、期待外れになってしまう。
【０００３】
また、電話の他に、相手にメッセージを送信する手段としては、例えば電子メールがある。電子メールの場合は、相手がどのような状況にあるのかに拘わらずメッセージを送信することができるため、送信者に都合の良い状況下でメッセージを送ることができる。このように、送信者は、送信したメッセージを相手が即座に開封することを期待して電子メールを送信しているわけではないので、電話のような期待感はない。しかしながら、電子メールは、相手がパソコン（パーソナルコンピュータ）などを起動させてメールプログラムを実行させない限り、メッセージを相手に伝えることができない。
【０００４】
【発明が解決しようとする課題】
このように、電話は相手が電話に出なければ用件を伝えられず、また、電子メールはパソコンなどを起動させて受信した電子メールを開封しなければメッセージを相手に伝えることができない。
【０００５】
そこで、本発明は、上述の課題を解決するために提案されたものであり、送信端末と受信端末間の音声／情報通信回線の接続を確立することなく、予め設定した条件の下で、簡単且つ確実にメッセージの交換や遠隔地からの家電機器の操作を可能とする、情報データ送受信方法、情報データ送信方法、情報データ受信方法、コンピュータに実行させるための情報データ送信プログラムを記憶したコンピュータ読み取り可能な記憶媒体、コンピュータに実行させるための情報データ受信プログラムを記憶したコンピュータ読み取り可能な記憶媒体、送信機、受信機、送受信機、情報データ送受信システム、コンピュータに実行させるための情報データ送信プログラム、及びコンピュータに実行させるための情報データ受信プログラムを提供することにある。
【０００６】
【課題を解決するための手段】
本発明は、相手を呼び出す呼び出し信号の呼び出し回数そのものにメッセージの意味付けを行うことで、簡単なメッセージの送受信を行う。
【０００７】
具体的には、本発明は、呼び出し回数とメッセージを対応させた記憶手段を用意しておき、送信するメッセージに対応する呼び出し信号の呼び出し回数分だけ送信先の受信機に呼び出し信号を発信する。相手先の受信機は、呼び出し回数に応じたメッセージが記憶されている記憶手段から、前記呼び出し回数に対応するメッセージを読み出し表示部に表示する。
【０００８】
このようにすれば、例えば相手が電話に出なくても、また、相手がどのような状況下であっても送信者と受信者の送信機または受信機間の音声通信回線の確立を図ることなく、予め設定した条件下でメッセージの送受信を行うことができる。
【０００９】
また、本発明は、相手を呼び出す呼び出し信号の呼び出し回数と遠隔地にある家電機器を遠隔操作する機器操作を対応させた記憶手段を用意しておき、操作したい機器操作に対応する呼び出し信号の呼び出し回数分だけ送信先の受信機に呼び出し信号を発信する。受信機は、その呼び出し回数に応じた機器操作が記憶されている記憶手段から、前記呼び出し回数に対応する機器操作を読み出し、その機器操作に応じて家電機器を動作させる。
【００１０】
このようにすれば、送信機と受信機の音声／情報通信回線の確立を図ることなく、予め設定した条件下で遠隔地にある家電機器を遠隔操作することができる。
【００１１】
【発明の実施の形態】
以下、本発明を適用した具体的な実施の形態について図面を参照しながら詳細に説明する。
【００１２】
＜第１の実施の形態＞
第１の実施の形態は、図１に示すように、例えば携帯電話機や通信機能を持った携帯型情報端末機などの如きメッセージ送受信機１、２間で、簡易的なメッセージを送受信する簡易メッセージ送受信システムに本発明を適用した例である。
【００１３】
具体的には、例えば送信側となるメッセージ送受信機１は、受信側（着信先）のメッセージ送受信機２の電話番号を回線確立要求信号に載せて、メッセージ送受信機１の位置情報を検出する送信側の基地局３を介して交換局４に送り、前記交換局４との間で回線を確立する。そして、交換局４は、受信側の基地局５を介して受信側のメッセージ送受信機２との間で回線を確立する。回線が確立されると、送信側のメッセージ送受信機１又は交換局４は、相手（受信先）に送信したいメッセージに対応した呼び出し信号の発信回数分だけ前記受信側のメッセージ送受信機２に対して呼び出し信号を発信する。
【００１４】
受信側のメッセージ送受信機２は、受信した呼び出し信号に基づいて送信者を検出すると共に、呼び出し信号の発信回数（呼び出し回数）を検出し、その送信者に関連付けられたメッセージリストから呼び出し回数に応じたメッセージを検出した後、所定の操作をすることによって表示部７に前記メッセージを表示する。この簡易メッセージ送受信システムは、呼び出し回数とメッセージとが一意に関連付けされており、メッセージ送受信機１，２間の音声通信回線の接続を確立することなく、簡単なメッセージの送受信が可能となっている。
【００１５】
なお、前記したように呼び出し信号の発信とその呼び出し信号の発信回数の制御を、メッセージ送受信機１又は交換局４に行わせるようにしてもよく、または、呼び出し信号の発信を交換局４に行わせ、その呼び出し信号の発信回数の制御をメッセージ送受信機１に行わせるようにしてもよく、さらには、呼び出し信号の発信をメッセージ送受信機１に行わせ、その呼び出し信号の発信回数の制御を交換局４に行わせるようにしてもよい。
【００１６】
本実施の形態では、メッセージ送受信機１が、選択したメッセージに対応した呼び出し信号の発信回数の情報を交換局４に送り、交換局４が、その情報を基に前記発信回数分だけの呼び出し信号を受信側のメッセージ送受信機２に送信することとする。また、図１の例では、送信側のメッセージ送受信機１から受信側のメッセージ送受信機２にメッセージを送る例とするが、これらメッセージ送受信機１，２が共に簡易メッセージを送受信する機能を備えている場合には、お互いのメッセージ送受信機１，２間でそれぞれメッセージをやり取りすることができる。
【００１７】
［メッセージ送受信機の構成］
このような簡易メッセージ送受信システムに用いられる各メッセージ送受信機１，２は、図２に示す送信系及び図３に示す受信系を有している。なお、送信側及び受信側のメッセージ送受信機１，２は、何れもこの送信系と受信系を有しているため、以下、代表して送信側のメッセージ送受信機１を例にとって前記送信系及び受信系の構成を説明する。
【００１８】
［送信系の構成］
先ず、このメッセージ送受信機１の送信系は、図２に示すように簡易メッセージの送信時等に送信者により操作される操作部２１と、登録者リスト１０、簡易メッセージリスト１１及び呼び出し回数リスト１２を備えたメモリ１３と、送信先に送信する簡易メッセージに対応する呼び出し信号の発信回数（呼び出し回数）を制御するＣＰＵ１４と、この呼び出し回数の情報をアンテナ８を介して送信する発信部２８とを有している。
【００１９】
メモリ１３の登録者リスト１０には、各登録者名及び各登録者の電話番号が記憶されている。また、簡易メッセージリスト１１には、例えば「おはよう」，「おやすみ」等の複数の簡易メッセージが記憶されている。また、呼び出し回数リスト１２には、各登録者毎の各簡易メッセージに対応する呼び出し回数を示す情報が記憶されている。
【００２０】
ＣＰＵ１４は、メモリ１３の登録者リスト１０の中から送信者により選択された送信先を検出する送信先検出部２９と、メモリ１３の簡易メッセージリスト１１の中から送信者により選択された簡易メッセージを検出する選択メッセージ検出部３０と、操作部２１における簡易メッセージの送信決定操作を検出する送信決定操作検出部３１と、操作者が簡易メッセージの選択を行う際等に、メモリ１３に記憶されている登録者のリストやその登録者に対応する簡易メッセージ等を液晶ディスプレイなどの表示部６（受信側のメッセージ送受信機２の場合は表示部７）に表示する表示制御部１９とを有している。
【００２１】
また、ＣＰＵ１４は、送信者により選択された送信先及び簡易メッセージに対応する呼び出し回数の情報を前記呼び出し回数リスト１２から検出する呼び出し回数検出部３２と、この呼び出し回数検出部３２で検出された呼び出し回数の情報を送信するように発信部２８を制御する発信制御部３３とを有している。
【００２２】
これら送信先検出部２９〜発信制御部３３は、所定のコンピュータプログラムにより制御されるＣＰＵ１４の機能として動作するようになっている。
【００２３】
［受信系の構成］
次に、図３に示すように、メッセージ送受信機１の受信系は、断続的に着信する呼び出し信号をアンテナ８を介して受信する受信部９と、着信の際に発信者を検出し、この発信者がメモリ１３の登録者リスト１０に登録されていた場合に、呼び出し回数に応じてその発信者に対応する簡易メッセージを簡易メッセージリスト１１から読み出して表示部６に表示するＣＰＵ１４とを有している。
【００２４】
前記ＣＰＵ１４は、受信部９で断続的に受信された呼び出し信号の呼び出し回数をカウントする呼び出し回数カウンタ１６と、発信者を検出する発信者検出部１７と、呼び出し回数カウンタ１６でカウントされた呼び出し回数、及び発信者検出部１７で検出された発信者に基づいてメモリ１３を検索し、その発信者の呼び出し回数に対応する簡易メッセージを検出する簡易メッセージ検出部１８と、検出した簡易メッセージ等を表示部７に表示する表示制御部１９とを有している。
【００２５】
また、これら呼び出し回数カウンタ１６〜表示制御部１９は、所定のコンピュータプログラムにより制御されるＣＰＵ１４の機能として動作するようになっている。
【００２６】
［簡易メッセージの送受信動作］
次に、図１に示す送信側のメッセージ送受信機１から送信された簡易メッセージを受信側のメッセージ送受信機２で受信する場合を例にとって、当該簡易メッセージ送受信システムにおける簡易メッセージの送受信動作を説明する。
【００２７】
［送信動作］
まず、図４のフローチャートに、送信側となるメッセージ送受信機１における簡易メッセージの送信工程の流れを示す。このフローチャートは、送信者によりメッセージ送受信機１が操作され、簡易メッセージの送信モードが選択されることでスタート（呼び出し開始）となる。
【００２８】
次に、この送信工程がスタートすると、ステップＳ１の処理において、送信先検出部２９及び選択メッセージ検出部３０が、ユーザにより操作される操作部２１からの操作出力に基づいて、簡易メッセージの送信先及び送信する簡易メッセージをそれぞれ検出する。
【００２９】
具体的には、この送信モードとなると、送信先検出部２９が、前記メモリ１３に予め登録されている送信先のリストである登録者リスト１０を読み出し制御する。そして、表示制御部１９が、この登録者リスト１０を送信先選択画面として表示部６に表示制御する。
【００３０】
図５（ａ）に、この表示部６に表示された送信先選択画面の一例を示す。この図５（ａ）に示すように、簡易メッセージの送信候補となる各登録者は、例えばＡさん，Ｂさん，Ｃさん・・・等のように表示制御部１９により表示部６に一覧的に表示制御される。
【００３１】
ユーザは、操作部２１を操作して、このように表示された各登録者の中から簡易メッセージを送信する登録者を選択する。送信先検出部２９は、操作部２１からの操作出力に基づいて、ユーザにより選択された登録者である送信先を検出すると、この選択された登録者に対して予め割り当てられている簡易メッセージのリストを、前記メモリ１３の簡易メッセージリスト１１から読み出し制御する。そして、表示制御部１９が、この簡易メッセージリスト１１を表示部６に表示制御する。
【００３２】
図５（ｂ）に、この表示部６に表示された簡易メッセージリスト１１の一例を示す。この図５（ｂ）に示すように、簡易メッセージリスト１１としては、例えば「元気？」，「遅れます」，「おはよう」，「おやすみ」等の簡易メッセージが表示制御部１９により一覧的に表示部６に表示される。
【００３３】
ユーザは、操作部２１を操作して、このように一覧的に表示される簡易メッセージリスト１１の中から所望の簡易メッセージを選択する。選択メッセージ検出部３０は、操作部２１からの操作出力に基づいて、ユーザにより選択された簡易メッセージを検出する。このユーザにより選択された簡易メッセージが検出されると、表示制御部１９は、図５（ｃ）に示すように、ユーザにより選択された簡易メッセージと共に、ユーザに対してこの簡易メッセージの送信の是非を問うメッセージ（例えば、送信しますか？）を表示部６に表示制御する。
【００３４】
図５（ｃ）は、ユーザにより選択された「元気？」との簡易メッセージと、この簡易メッセージの送信の是非を問う「送信しますか？」とのメッセージが表示部６に表示制御された例を示している。
【００３５】
次に、簡易メッセージの送信の是非を問うメッセージに対応して、ユーザから操作部２１を介して送信指示がなされた場合、送信決定操作検出部３１は、この送信指示の検出出力を呼び出し回数検出部３２に供給する。
【００３６】
呼び出し回数検出部３２は、図４のフローチャートのステップＳ２において、前記送信先検出部２９で検出された送信先と、前記選択メッセージ検出部３０で検出された簡易メッセージに基づいてメモリ１３を検索する。そして、呼び出し回数検出部３２は、このメモリ１３から、その送信者に送信する簡易メッセージに割り当てられている呼び出し信号の呼び出し回数を検出し、この検出出力を発信制御部３３に供給する。
【００３７】
すなわち、例えば送信先となるＡさんに対する「元気？」との簡易メッセージに対しては１回の呼び出し回数が、同じく送信先となるＡさんに対する「おはよう」との簡易メッセージに対しては３回の呼び出し回数が割り当てられている等のように、簡易メッセージと呼び出し回数は関連付けされてメモリ１３に記憶されている。
【００３８】
また、Ａさんとは異なるＢさんに対しては、「元気？」との簡易メッセージに対して例えば２回の呼び出し回数を割り当て、「おはよう」との簡易メッセージに対して例えば５回の呼び出し回数を割り当てる等のように、各簡易メッセージに対する呼び出し回数は、送信者と受信者との間で任意に取り決められる。
【００３９】
呼び出し回数検出部３２は、前記送信先検出部２９で送信先が検出されると、前記ステップＳ２の処理において、この送信先に対して送信する簡易メッセージに割り当てられている呼び出し回数を、メモリ１３の呼び出し回数リスト１２から検出し、この検出出力を発信制御部３３に供給する。
【００４０】
次に、発信制御部３３は、図４のフローチャートのステップＳ３において、検出した呼び出し信号の発信回数（呼び出し回数）分だけ、呼び出し信号の発信が行われるように発信部２８を制御する。すなわち、発信制御部３３は、発信部２８に対して、前記検出した呼び出し信号の発信回数情報（呼び出し回数情報）を交換局４に送信するように制御する。また、発信制御部３３は、交換局４に対して送信先の電話番号と、着信先までの回線確立要求信号を送るように発信部２８を制御する。これにより、この図４のフローチャートに示す簡易メッセージの送信工程が終了（呼び出し終了）する。
【００４１】
この発信部２８から発信された送信先の電話番号情報、呼び出し回数の情報及び回線確立要求信号は、アンテナ８を介して発信され、図１に示す送信者側の基地局３を介して交換局４で受信される。そして、交換局４は、受信者側の基地局５を介して送信先のメッセージ送受信機２と回線を確立させた後、この送信先のメッセージ送受信機２に対して前記呼び出し回数分だけ呼び出し信号の発信を行う。
【００４２】
［受信動作］
次に、このような簡易メッセージ送受信システムのメッセージ送受信機２において行われる簡易メッセージの受信動作を説明する。
【００４３】
図６のフローチャートに、このメッセージ送受信機２における簡易メッセージの受信工程の流れを示す。まず、このフローチャートに示す受信工程は、図３に示す受信部９が呼び出し信号の着信を検出したタイミングでスタート（表示処理開始）となる。
【００４４】
次に、ステップＳ１１の処理では、ＣＰＵ１４の呼び出し回数カウンタ１６が、受信部９で呼び出し信号が検出されたタイミングで、呼び出し信号のカウント値を０（零）に初期化する。これにより、この受信工程がステップＳ１２の処理に進む。
【００４５】
ステップＳ１２の処理では、発信者検出部１７が、回線確立要求信号と共に送られてきた発信者の電話番号情報を取り出し、メモリ１３の登録者リスト１０に記憶されている各登録者の電話番号情報の中に、発信者の電話番号情報が登録されているか否か（つまり、発信者はメッセージ送受信機２のメモリ１３に登録されているか否か）を判別し、この判別出力を簡易メッセージ検出部１８に供給する。
【００４６】
このステップＳ１２の処理において、発信者検出部１７により、発信者がメッセージ送受信機２に登録されているとの判別がなされた場合は、この受信工程がステップＳ１３の処理に進み、発信者がメッセージ送受信機２に登録されていないとの判別がなされた場合は、この受信工程がステップＳ１８の処理に進む。
【００４７】
ステップＳ１８の処理では、簡易メッセージ検出部１８が、送信先の電話番号情報を表示制御部１９に供給し、この表示制御部１９は、前記電話番号情報を表示部７に表示制御する通常の発信者表示処理を行い、この受信工程を終了する。
【００４８】
一方、発信者がメッセージ送受信機２に登録されているとの判別がなされ、この受信工程がステップＳ１３の処理に進むと、このステップＳ１３において、簡易メッセージ検出部１８が、メモリ１３の登録者リスト１０を検索して、その発信者に対して登録されている簡易メッセージの有無を判別する。
【００４９】
このステップＳ１３の処理において、簡易メッセージ検出部１８により、その発信者に対して登録されている簡易メッセージは無いとの判別がなされた場合は、この受信工程が前記ステップＳ１８の処理に進み、表示制御部１９により前述の通常の発信者表示処理が行われる。一方、発信者に対して登録されている簡易メッセージが有るとの判別がなされた場合は、この受信工程がステップＳ１４の処理に進む。
【００５０】
ステップＳ１４の処理では、簡易メッセージ検出部１８が、メモリ１３の簡易メッセージリスト１１から、その発信者に対応する簡易メッセージリスト１１の読み込みを行う。次に、ステップＳ１５の処理では、呼び出しカウンタ１６が、断続的に着信する呼び出し信号を検出する毎に、前記ステップＳ１１で初期化したカウント値を１ずつ加算して呼び出し信号の数をカウントする。
【００５１】
次に、呼び出し回数カウンタ１６は、呼び出し信号の着信が途絶えてから一定時間の経過を検出した際に、ステップＳ１６において呼び出しが終了したものと判別し、前記ステップＳ１５でカウントした呼び出し信号のカウント値を簡易メッセージ検出部１８に供給する。これにより、この受信工程がステップＳ１７の処理に進む。
【００５２】
表示制御部１９は、簡易メッセージ検出部１８で簡易メッセージが検出されると、例えば図８（ａ）に示すように、簡易メッセージの着信があったことを示す「着信」の文字、この簡易メッセージの発信者を示す文字（この例の場合は「Ａさんより」の文字）、「着信時刻」、及び簡易メッセージが未読であることを示すマーク３４を表示部７に表示制御する。
【００５３】
受信側のユーザは、この表示を見ることにより自分のメッセージ送受信機２で簡易メッセージの受信が行われたことを認識し、この簡易メッセージを表示すべく、操作部２１を操作する。
【００５４】
簡易メッセージ検出部１８は、この操作部２１の表示操作を検出すると、ステップＳ１７の処理において、発信者検出部１７で検出された発信者、及び呼び出し回数カウンタ１６で検出された呼び出し回数に対応する簡易メッセージを、前記ステップＳ１４で読み込んだ簡易メッセージリスト１１の中から検出し、この簡易メッセージを表示制御部１９に供給する。表示制御部１９は、この簡易メッセージを表示部７に表示制御する。
【００５５】
具体的には、発信者検出部１７で検出された発信者が例えば発信者Ａさんであり、呼び出し回数カウンタ１６で検出された呼び出し信号の呼び出し回数が１回であった場合、簡易メッセージ検出部１８は、図７に示すように、この発信者Ａさんの１回の呼び出し（コール）に対応する簡易メッセージである「元気？」なる文字の簡易メッセージを前記簡易メッセージリスト１１から検出し、これを表示制御部１９に供給する。これにより、図８（ｂ）に示すように、表示部７に対して「元気？」の簡易メッセージが表示される。
【００５６】
なお、この例の場合、発信者Ａさんから２回のコールがあった場合は「遅れます」の簡易メッセージが表示部７に表示され、３回のコールがあった場合は「おはよう」の簡易メッセージが表示部７に表示され、４回のコールがあった場合は「おやすみ」の簡易メッセージが表示部７に表示されることとなる。図６のフローチャートに示す受信工程は、このような簡易メッセージの表示をもって終了する。
【００５７】
ところで、上記した実施の形態では、相手先にメッセージを送信しようとしたにも拘わらず、着信側で呼び出し音が鳴ると電話に出る可能性がある。この場合、呼び出し回数が確定する前に相手が電話に出ることになるため、送信者は相手にメッセージを送ることができない。このため、着信があったときには、受信側のメッセージ送受信機２では呼び出し音を鳴らさずにメッセージがあったことのみを通知する。
【００５８】
例えば、受信側のメッセージ送受信機２では、図７に示した簡易メッセージリストにあるように４つのメッセージが登録されていたとすると、４回までの呼び出しは鳴らないようにし、呼び出しが５回以上あった場合に始めて通常の電話として呼び出し音を鳴らす。つまり、メッセージが登録されている回数以上の呼び出しがあるまで、呼び出し音を鳴らさないようにする。これにより、受信者は、誤って電話に出ることを防止することができる。これは、特に簡易メッセージの発信者として登録されている発信者からの着信の場合に行うのがよい。
【００５９】
なお、上述した送信時と受信時における呼び出し信号は、通常、一定の信号長を有している。しかし、呼び出し信号の中には、送信者が送信した直後に送信を中止した場合やその他の要因などで一定の信号長に満たない呼び出し信号も存在する。このため、送信時及び受信時における一定の信号長に満たない信号長は、呼び出し信号としてカウントしないこととする。
【００６０】
例えば、送信時又は受信時にカウントする基準となる信号長を「１」とすると、送信時又は受信時の信号長が「０．３」であった場合、この呼び出し信号の信号長「０．３」は基準となる信号長「１」に満たないため、この呼び出し信号はカウントしない。一方、送信時又は受信時における呼び出し信号の信号長が「１．３」であった場合は、基準となる信号長「１」よりも長いため、この呼び出し信号はカウントする。
【００６１】
［実施の形態の効果］
以上の説明から明らかなように、この実施の形態の簡易メッセージ送受信システムは、呼び出し信号の呼び出し回数とメッセージとを一意に関連付けし、呼び出し回数そのものにメッセージの意味付けを行っている。このため、送りたいメッセージに対応する発信回数分だけ呼び出し信号の発信が行われるようにするだけで、音声通信回線の確立を図ることなく、送信先に対してメッセージを送信することができる。
【００６２】
また、メッセージの送信先と送信するメッセージを選択して発信操作をするだけで、送信先の送信機に対して、送信するメッセージに対応する回数分のコールが行われメッセージが送信される。このため、電子メールなどのように、相手先のアドレス、ヘッダ（表題）及びメッセージの入力といった面倒な操作をする必要がなく、簡単な操作でしかも短時間にメッセージを送信先に送信することができる。
【００６３】
また、簡易メッセージは、メッセージ送受信機２において自動的に受信されるため、ユーザは電話に出る等の意識的にメッセージ送受信機２を操作することなく簡易メッセージの受信を行うことができる。
【００６４】
また、受信側のメッセージ送受信機２では、簡易メッセージを受信すると、例えば図８（ａ）にマーク３４として示したように、簡易メッセージの着信をユーザに対して知らせる表示を行う。このため、簡易メッセージが自動的に受信された場合でも、このマーク３４によって簡易メッセージの着信をユーザに対して知らせることができる。
【００６５】
［変形例］
このように、第１の実施の形態では、メッセージ送受信機１，２は、メッセージの送信と受信の両方の機能を有するものとして説明したが、これらメッセージ送受信機１，２は、メッセージを送信する送信機能のみを有していてもよいし、または、メッセージを受信する受信機能のみを有していてもよい。
【００６６】
また、第１の実施の形態の簡易メッセージ送受信システムでは、呼び出し回数に対応する文字を表示することとしたが、文字に拘わらず、静止画像、動画像、或いは音声などを表示するようにしてもよい。例えば、アイコンやキャラクタ等の静止画像にメッセージとしての意味を持たせ、これらアイコンやキャラクタ等を呼び出し回数に応じて表示することで、上述と同じ効果を得ることができる。また、呼び出し回数に応じて、文字、静止画像、動画像、音声を適宜組み合わせたものをメッセージとして表示するようにしてもよい。
【００６７】
また、第１の実施の形態では、発信者と着信者との間で予め取り決められた呼び出し回数に対応するメッセージを表示することとしたが、これは、例えばＡさんからの着信の場合もＢさんからの着信の場合も、呼び出し回数が１回の場合は「元気？」の簡易メッセージを表示し、呼び出し回数が３回の場合は「おはよう」の簡易メッセージを表示する等のように、呼び出し回数に対応した固定的な簡易メッセージを表示するようにしてもよい。
【００６８】
また、第１の実施の形態において、送信側及び受信側の処理は、メッセージ送受信機内のメモリに記憶されたメッセージ送信プログラム又はメッセージ受信プログラムを読み出して実行するようにしてもよいし、或いは外部メモリに書き込まれたメッセージ送信プログラム又はメッセージ受信プログラムを読み出して実行するようにしてもよい。
【００６９】
前記メッセージ送信プログラム又はメッセージ受信プログラムが外部メモリに記憶されている場合は、この外部メモリをメッセージ送受信機のメモリスロットに接続し、この接続された外部メモリから前記メッセージ送信プログラム又はメッセージ受信プログラムを読み出して実行することとなる。
【００７０】
また、前記メッセージ送信プログラム又はメッセージ受信プログラムは、例えばＣＤ−ＲＯＭやＤＶＤ−ＲＯＭ等の記憶媒体からメッセージ送受信機にインストールして用いるようにしてもよいし、或いはインターネット等の所定のネットワークからメッセージ送受信機にダウンロードして用いるようにしてもよい。
【００７１】
また、上述の実施の形態は、本発明を、携帯電話機を用いて簡易メッセージの送受信を行う簡易メッセージ送受信システムに適用した例としたが、本発明は、この他、液晶表示部等の表示手段を有する固定型（据え置き型）の電話機やファクシミリ装置等、呼び出し信号の発信を行う通信機器を用いたシステムであれば、どのようなシステムにも適用可能である。また、送信側が携帯電話機で受信側がファクシミリ装置の場合や、送信側が固定型の電話機で受信側がファクシミリ装置等のように、異なる装置間においても本発明は適用可能である。
【００７２】
なお、ファクシミリ装置を用いたシステムの場合、呼び出し回数に対応する簡易メッセージ（或いは前記静止画像等）をファクシミリ用紙に印字して出力させてもよい。
【００７３】
＜第２の実施の形態＞
第２の実施の形態は、１回の呼び出し操作でメッセージの送受信を行うのではなく、２回以上の呼び出し操作でメッセージの送受信を行う例である。つまり、複数回の操作による呼び出しを１つのメッセージとみなし、多次元データベースから１つのメッセージを取得する。以下、その具体的な実施の形態について説明する。
【００７４】
図９は、１回目の呼び出しと２回目の呼び出しによって送信すべきメッセージを決定する２次元データベースの一例である。この図９の２次元データベースには、１回目の呼び出し信号の呼び出し回数（１回目のコール回数）を４回とし、２回目の呼び出し信号の呼び出し回数（２回目のコール回数）を同じく４回として、合計１６個のメッセージが登録されている。なお、ｎ回目の呼び出しによって送信すべきメッセージを決定するには、ｎ次元のデータベースを用意する。
【００７５】
この図９に示すデータベースにおいて、例えば「お疲れ」というメッセージを送信する場合は、図１０に示すように、１回目の呼び出し信号の呼び出し回数が２回、２回目の呼び出し信号の呼び出し回数が２回となる。つまり、「お疲れ」というメッセージを送る場合は、１回目の呼び出しで呼び出し信号を２回送り、その後、次の２回目の呼び出しで呼び出し信号を２回送る。同様に、「元気？」なるメッセージを送る場合は、１回目の呼び出しで呼び出し信号を４回送り、次の２回目の呼び出しで呼び出し信号を１回送る。
【００７６】
このように、２回の呼び出し操作によって送信メッセージを決定すれば、１回の操作によりメッセージを送る場合に比べて呼び出し信号の呼び出し回数を少なくすることができる。つまり、例えば全部で１６個のメッセージを用意したとすると、１回の呼び出し操作でメッセージを送信するには最大１６回の呼び出し信号を送る必要があるが、２回の操作によりメッセージを送信すには最大でもその半分の８回の呼び出し回数で済むことになる。
【００７７】
図１０に示すように、１回目の呼び出し信号の呼び出し回数を２回とすると、横方向の実線で囲まれた「おやすみ」、「お疲れ」などのメッセージが選択される。そして、２回目の呼び出し信号の呼び出し回数を２回とすると、同様に縦方向の実線で囲まれた「遅れる」、「お疲れ」、「ありがとう」などのメッセージが選択され、その実線が重なった部分の斜線で表示された「お疲れ」なるメッセージが最終的に決定される。
【００７８】
一方、受信側では、図９と同じ２次元データベースをメッセージ送受信機２が有しており、１回目の呼び出し信号の呼び出し回数を２回受信し、その後、２回目の呼び出し信号の呼び出し回数を２回受信した場合には、この受信側のメッセージ送受信機２では「お疲れ」というメッセージが表示部７に表示されることになる。
【００７９】
次に、この２次元データベースを用いた簡易メッセージの送受信動作を説明する。簡易メッセージの送受信に関しては、基本的なところは第１の実施の形態と同じであるため、この第１の実施の形態と異なる部分について詳細に説明するものとする。
【００８０】
先ず、ユーザ（送信者）は、送信側のメッセージ送受信機１を操作して簡易メッセージを送信する相手（メモリ１３に記憶されている登録者）を選択し、その選択された相手（着信者）に対して予め割り当てられている簡易メッセージリストをメモリ１３から読み出し、その簡易メッセージリストから送信したいメッセージを選択する。ここでは、ユーザは、「お疲れ」というメッセージを送信するものとする。そして、このメッセージが選択されると、その送信者に送信する簡易メッセージに割り当てられている呼び出し信号の呼び出し回数が検出される。「お疲れ」なる簡易メッセージは、１回目の呼び出し信号の呼び出し回数が２回、２回目の呼び出し信号の呼び出し回数が２回として、その呼び出し回数がそれぞれ検出される。
【００８１】
次に、送信側のメッセージ送受信機１は、検出した呼び出し信号の発信回数（呼び出し回数）分だけ呼び出し信号の発信を行い、交換局４に対して送信先の電話番号と着信先までの回線確立要求信号を送る。交換局４は、受信者の基地局５を介して送信先のメッセージ送受信機２と回線を確立させた後、この送信先のメッセージ送受信機２に対して前記呼び出し回数分だけ呼び出し信号の発信を行う。この例では、交換局４は、１回目の呼び出しで２回の呼び出し信号を発信した後、２回目の呼び出しで２回の呼び出し信号を発信する。
【００８２】
受信側のメッセージ送受信機２では、次のようにしてメッセージが受信される。この受信動作を図１１のフローチャートを参照して説明する。先ず、受信側のメッセージ送受信機２の電源がオンとなることでこの簡易メッセージの受信工程がスタートし、ステップＳ１９の処理で受信部９が呼び出し信号の着信を検出する。ステップＳ２０では、発信者はこのメッセージ送受信機２に登録されているか否かを判断する。すなわち、ステップＳ２０の処理では、発信者検出部１７が、発信元の電話番号がメモリ１３の登録者リスト１０の中に登録されているか否かを判別する。この登録者リスト１０の中に発信者の電話番号が登録されていなかったり、電話番号が非通知だった場合は、ステップＳ２１の処理で通常の電話として処理（電話番号情報を表示部６に表示制御する）され、この受信工程は終了となる。
【００８３】
ステップＳ２０の処理において、登録者リスト１０の中に電話番号が登録されている場合には、この受信工程はステップＳ２２の処理に進む。ステップＳ２２の処理では、呼び出し回数カウンタ１６が呼び出し信号のカウント値を０（零）に初期化した後、呼び出し信号の呼び出し回数をカウントする。そして、次のステップＳ２３の処理では、ＣＰＵ１４がその同一電話番号からの着信が何回目であったかを検出し、１回目の着信であればこの受信工程をステップＳ２４に進める。ステップＳ２４の処理では、ＣＰＵ１４は、１回目の着信時に受信した着信回数をメモリ１３に保存する。本実施の形態では、ＣＰＵ１３は、１回目の着信回数を２回としてメモリ１３に保存する。そして、次のステップＳ２５の処理において、受信側のメッセージ送受信機２は、次の着信があるのを待つ。
【００８４】
一方、ステップＳ２３の処理において、１回目の着信ではなく２回目の着信であった場合には、ＣＰＵ１４は、この受信工程をステップＳ２６に進める。ステップＳ２６の処理では、ＣＰＵ１４は１回目の着信から所定時間が経過（例えば１時間以上が経過）していないかを判断する。すなわち、このステップＳ２６の処理では、ＣＰＵ１４は、１回目の着信から１時間以内に２回目の着信があった場合は、複数回による呼び出し操作で１つのメッセージを受信する動作として処理し、この受信工程をステップＳ２７に進める。
【００８５】
また、ステップＳ２６の処理で１回目の着信から１時間以上経ってから２回目の着信があった場合には、ＣＰＵ１４は、この受信工程をステップＳ２８に進める。ステップＳ２８の処理では、ＣＰＵ１４は、発信元へ３回コールして２回目の着信による操作が無効であったことを送信者に知らせ、この受信側のメッセージ送受信機２は着信の待ち受け状態に戻る。この時、同一の電話番号からの着信回数はリセットされ、１回目のコールからやり直しになる。
【００８６】
２回目の着信が連続したものとして判断されると、簡易メッセージ検出部１８は、ステップＳ２７の処理でメモリ１３に登録されている２次元データベース（アサインデータベース）にアクセスし、１回目の着信回数と２回目の着信回数により決まるメッセージがこの２次元データベースに登録されているか否かを検出する。２次元データベースに登録されていない場合には、この受信工程はステップＳ２９の処理に進む。ステップＳ２９の処理では、ＣＰＵ１４は、発信元へ２回コールし、呼び出し回数に応じた簡易メッセージが２次元データベースに登録されていない旨を送信元に通知する。
【００８７】
一方、呼び出し回数に対応した簡易メッセージが２次元データベースに登録されている場合は、簡易メッセージ検出部１８が次のステップＳ３０の処理で検出した簡易メッセージを表示制御部１９に供給する。そして、表示制御部１９は、その簡易メッセージを表示部７に表示する。この実施の形態では、１回目の呼び出し信号が２回で２回目の呼び出し信号も同様に２回であるので、「お疲れ」なる簡易メッセージが表示部７に表示されることになる。
【００８８】
［変形例］
第３の実施の形態では、１回目の呼び出し信号の呼び出し回数と２回目の呼び出し信号の呼び出し回数とによって送信すべき簡易メッセージを決定する２次元データベースを使用したが、本発明は、例えばｎ回目の呼び出し信号の呼び出し回数で簡易メッセージを決定するｎ次元のデータベースを使用するようにしてもよい。このように、多次元構造のデータベースを使用すれば、１次元のデータベースに比べてより少ない呼び出し回数で相手にメッセージを送信することができると共に、より多くの簡易メッセージをデータベースに登録することができる。
【００８９】
＜第３の実施の形態＞
第３の実施の形態は、電話端末装置の呼び出し信号の呼び出し回数に応じて家庭内の電気（家電）機器を遠隔地から操作可能とした例である。
【００９０】
具体的には、図１２の概念図及び図１３のシステムブロック図に示すように、ユーザは固定電話３５又は携帯端末（携帯電話）３６などの電話端末装置から通信回線網３７を介して自宅３８内に設置した受信端末装置（ホームサーバ）に対して呼び出し信号を所定回数送る操作を行うと、受信端末装置３９は、着信した電話番号が電話番号データベース４０に登録されているかを判断し、登録されていれば呼び出し回数と家電機器の操作とを関連付けたデータを格納したアサインデータベース４１からその着信時における呼び出し回数に応じた機器操作データを読み出し、その機器操作データに基づいて、受信端末装置３９に接続された例えばエアコンディショナー４２や照明器具４３或いは湯沸かし器４４などの各種家電機器を動作させる。
【００９１】
この実施の形態では、呼び出し信号の呼び出し回数と家電機器の操作とを対応付けることによって、送信端末と受信端末の音声／情報通信回線の接続を確立することなく、遠隔地から自宅３８内の各種家電機器を操作することができる。
【００９２】
［電話端末装置の構成］
前記固定電話３５及び携帯端末３６などの電話端末装置は、図１４のブロック図に示すように、家電機器操作時に送信者により操作される操作部４５と、機器操作リスト４６及び呼び出し回数リスト４７を記憶しているメモリ４８と、ＣＰＵ４９と、機器の操作などを表示する表示部５０と、機器操作に割り当てられた呼び出し信号の呼び出し回数情報をアンテナ５１を介して送信する発信部５２とを有している。
【００９３】
メモリ４８の機器操作リスト４６には、家庭内のエアコンディショナー４２や照明器具４３或いは湯沸かし器４４などの各種家電機器を操作する機器操作情報が記憶されている。機器操作リスト４６としては、例えばエアコンを入れる、エアコンを消す、お風呂を沸かす、電気をつける、電気を消す、機器操作をリセットするオールリセットなどの情報である。呼び出し回数リスト４７には、機器操作データに対応する呼び出し回数を示す情報が記憶されている。例えば、エアコンを入れるという機器操作には、呼び出し回数（コール回数）が１回割り当てられており、エアコンを消す機器操作には呼び出し回数が２回割り当てられている。
【００９４】
ＣＰＵ４９は、機器操作リスト４６をメモリ４８から読み出し、ユーザにより選択された機器操作情報を検出する機器操作検出部５３と、読み出した機器操作リスト４６の情報を前記表示部５０に表示する表示制御部５４と、選択した機器操作の送信決定操作を検出する送信決定操作検出部５５と、選択した機器操作に対応する呼び出し回数の情報を前記呼び出し回数リスト４７から検出する呼び出し回数検出部５６と、この呼び出し回数の情報を送信するように発信部５２を制御する発信制御部５７とを有している。
【００９５】
これら表示制御部５４、機器操作検出部５３、送信決定操作検出部５５、呼び出し回数検出部５６及び発信制御部５７は、所定のコンピュータプログラムにより制御されるＣＰＵ４９の機能として動作するようになっている。
【００９６】
［受信端末装置の構成］
家庭内に設置された受信端末装置３９は、図１５のブロック図に示すように、断続的に着信する呼び出し信号をアンテナ５８を介して受信する受信部５９と、送信に使用する固定電話３５又は携帯端末３６の電話番号や呼び出し回数に応じて家電機器を操作する機器操作情報などを記憶するメモリ６０と、着信の際に発信者の電話番号がメモリ６０に登録されていた場合に、呼び出し回数に応じた機器操作を行うように機器を動作させ、正常に機器が動作したかを送信者に対してフィードバックする情報を発信部６１に送るなどの指令を行うＣＰＵ６２と、そのフィードバック情報をアンテナ５８を介して固定電話３５又は携帯端末３６に送信する発信部６１とを有している。
【００９７】
メモリ６０には、遠隔操作に使用される固定電話３５と携帯端末３６の電話番号が記憶された電話番号リスト６３と、エアコンディショナー４２や照明器具４３などをつけたり消したりする操作情報が記憶された機器操作リスト６４と、その各機器の操作に対応して決められた呼び出し信号の呼び出し回数を記憶した呼び出し回数リスト６５とが記憶されている。電話番号リスト６３は、電話番号データベース４０から読み出され、メモリ６０に記憶される。機器操作リスト６４と呼び出し回数リスト６５は、アサインデータベース４１から読み出され、メモリ６０に記憶される。
【００９８】
電話番号リスト６３は、遠隔操作によって自宅内の家電機器を操作するのに使用する固定電話３５や携帯端末３６などの電話端末装置の電話番号情報がリストとして挙げられている。なお、電話端末装置は、電話番号を受信端末装置３９に通知し、且つ呼び出し信号を送れる端末であれば固定電話３５や携帯端末３６などの種類には限定されない。
【００９９】
機器操作リスト６４は、家庭内にあるエアコンディショナー４２、照明器具４３、湯沸かし器４４などの家電機器をどのように操作するかの情報がリストとして挙げられている。例えば、このリストには、エアコンを入れる、エアコンを消す、お風呂を沸かす、電気をつける、電気を消す、機器操作をオールリセットする等の情報が挙げられている。
【０１００】
呼び出し回数リスト６５は、遠隔操作する家電機器を操作する機器操作と関連付けられた数値情報がリストとして挙げられている。例えば、この呼び出し回数リスト６５には、エアコンを入れるという操作に対しては呼び出し回数が１回、エアコンを消す操作に対しては呼び出し回数が２回、お風呂を沸かす操作に対しては呼び出し回数が３回、電気をつける操作に対しては呼び出し回数が４回、電気を消す操作に対しては呼び出し回数が５回、オールリセットの操作に対しては呼び出し回数が７回としてリストに挙げられている。
【０１０１】
ＣＰＵ６２は、着信した電話番号がメモリ６０の電話番号リスト６３に登録されているかどうかを検出する発信者検出部６６と、受信端末装置３９が家電機器を操作できる状態にあるかどうかを確認する機器動作確認検出部６７と、呼び出し信号の呼び出し回数をカウントする呼び出し回数カウンタ６８と、カウントした呼び出し回数に応じた機器操作が機器操作リスト６４に登録されているかどうかを検出する機器操作検出部６９と、機器操作を実行させる機器操作実行指令部７０と、実行した機器が正常に動作したかどうかを検出する機器動作確認検出部７１と、機器が正常に動作したか又は機器が正常に動作しなかった場合はその旨の情報を発信部６１に送信する確認結果フィードバック部７２とを有している。
【０１０２】
これら、発信者検出部６６、機器動作確認検出部６７、呼び出し回数カウンタ６８、機器操作検出部６９、機器操作実行指令部７０、機器動作確認検出部７１及び確認結果フィードバック部７２は、所定のコンピュータプログラムにより制御されるＣＰＵ６２の機能として動作するようになっている。
【０１０３】
［遠隔操作による機器操作］
次に、自宅３８と離れた遠隔地より固定電話３５又は携帯端末３６から通信回線網３７を介して受信端末装置３９にアクセスして、当該自宅３８内のエアコンディショナー４２や照明器具４３又は湯沸かし器４４などを操作する動作を説明する。
【０１０４】
先ず、図１６のフローチャートに送信側となる遠隔操作による送信工程の流れを示す。このフローチャートは、送信者により固定電話３５又は携帯端末３６が操作され、これら固定電話３５又は携帯端末３６に任意の操作ボタンに割り当てられた遠隔操作モードが選択されることによりスタートとなる。送信工程がスタートすると、機器操作検出部５３が機器操作リスト４６をメモリ４８から読み出し、その機器操作リスト４６の情報を表示制御部５４が表示部５０に表示する。
【０１０５】
図１７（ａ）に、この表示部５０に表示された機器操作リスト４６の機器操作選択画面の一例を示す。この図１７（ａ）に示すように、表示部５０には、エアコンを入れる、エアコンを消す、お風呂を沸かす、電気をつける、電気を消す、テレビをつける、オールリセットなどの操作情報が表示される。遠隔操作する機器を誤って選択した場合には、オールリセットを選択すれば、最初から機器の選択を始めることができる。
【０１０６】
ユーザは、操作部４５を操作して、このように表示されたリストの中から遠隔操作する機器の操作を選択する。機器操作検出部５３は、その選択された機器操作情報を前記機器操作リスト４６の中から検出する。機器操作情報が検出されると、表示制御部５４は、図１７（ｂ）に示すように、ユーザにより選択された機器選択情報と共に、ユーザに対してこの機器操作情報の送信の是非を問うメッセージを表示部５０に表示制御する。
【０１０７】
図１７（ｂ）は、ユーザにより選択された「エアコンを入れる」の機器操作情報の文字と、この機器操作情報の送信の是非を問う「送信しますか？」とのメッセージが表示部５０に表示された例を示している。
【０１０８】
次に、機器操作情報の送信の是非を問うメッセージに対応して、ユーザから操作部４５を介して送信指示がなされた場合、送信決定操作検出部５５は、この送信指示の検出出力を呼び出し回数検出部５６に供給する。呼び出し回数検出部５６は、図１６のフローチャートのステップＳ３２において、選択された機器操作に割り当てられている呼び出し信号の呼び出し回数を呼び出し回数リスト４７から検索し、この検出出力を発信制御部５７に供給する。
【０１０９】
次に、発信制御部５７は、図１６のフローチャートのステップＳ３３において、検出した呼び出し信号の発信回数（呼び出し回数）分だけ発信が行われるように発信部５２を制御する。詳細には、発信制御部５７は、発信部５２に対して検出した呼び出し信号の発信回数情報（呼び出し回数情報）を交換局４に送信するように制御すると共に、交換局４に対して送信先の電話番号と着信先までの回線確立要求信号を送るように発信部５２を制御する。これにより、この図１６のフローチャートに示す送信工程が終了する。
【０１１０】
発信部５２から発信された固定電話３５又は携帯端末３６の電話番号情報、呼び出し回数の情報及び回線確立要求信号は、アンテナ５１を介して発信され交換局４で受信される。交換局４は、受信端末装置３９と回線を確立させた後、この受信端末装置３９に対して前記呼び出し回数分だけ呼び出し信号の発信を行う。
【０１１１】
次に、受信端末装置３９の動作を説明する。図１８のフローチャートに、この受信端末装置３９で処理される機器操作工程の流れを示す。先ず、このフローチャートは、受信端末装置３９の電源がオンとなることでスタートし、ステップＳ３４の処理において、受信部５９が呼び出し信号を着信する。次に、ステップＳ３５の処理では、発信者検出部６６が回線確立要求信号と共に送られてきた発信者（送信端末）の電話番号情報を取り出し、メモリ６０の電話番号リスト６３の中に発信者の電話番号情報が登録されているかを判別する。電話番号が登録されていれば、この機器操作工程は、次のステップＳ３６の処理に進む。電話番号が登録されていなかったり、電話番号が非通知である場合には機器操作を行わずにこの機器操作工程を終了する。
【０１１２】
ステップＳ３６の処理では、機器動作確認検出部６７が自宅３８内のエアコンディショナー４２や照明器具４３或いは湯沸かし器４４などの家電機器を操作できる状態にあるかどうかを確認する。これら機器の操作ができないような場合は、この機器操作工程を終了する。機器の操作ができない状態とは、例えば受信端末装置３９がどの家電機器とも接続されていない場合や、受信端末装置３９側で全ての家電機器の操作ができないような設定があり、この設定がオンになっているような場合である。
【０１１３】
次に、機器の操作が動作可能な状態にある場合には、ステップＳ３７の処理で、呼び出し回数カウンタ６８が断続的に着信する呼び出し信号を検出する毎に、カウント値を１ずつ加算して呼び出し信号の数をカウントする。そして、呼び出し回数が確定すると、この機器操作工程はステップＳ３８の処理に進む。このステップＳ３８の処理では、機器操作検出部６９がアサインデータベース４１にアクセスし、カウントした呼び出し回数に対応したアサインがあるかどうかを検出する。
【０１１４】
アサインデータベース４１には、例えば図１９に示すように、呼び出し回数に割り当てられた機器操作が登録されている。この例では、コール回数が１回には「エアコンを入れる」、２回には「エアコンを消す」、３回には「お風呂を沸かす」、４回には「電気をつける」、５回には「電気を消す」、６回には「テレビをつける」、７回には「オールリセット」がそれぞれ割り当てられている。なお、このデータベースは、ユーザが編集することができるようになっているため、家庭内にある家電機器を自由にコントロールすることができる。
【０１１５】
このアサインデータベース４１に検出した呼び出し回数に対応したアサインが無い（登録されていない）場合には、この機器操作工程は終了する。呼び出し回数に対応した機器操作がアサインデータベース４１にある場合には、ＣＰＵ６２は、この機器操作工程をステップＳ３９の処理に進める。ステップＳ３９の処理では、機器操作実行指令部７０が、その呼び出し回数に割り当てられている機器操作を実行する。本実施の形態では、受信端末装置３９には呼び出し回数が１回として検出されるため、この呼び出し回数１回に割り当てられている「エアコンを入れる」という機器操作を、前記機器操作実行指令部７０が行う。この機器操作実行指令部７０によって、受信端末装置３９に接続された家電機器のうちエアコンディショナー４２の電源がオンとされる。
【０１１６】
ステップＳ３９の処理で機器操作が終了すると、この機器操作工程は次のステップＳ４０の処理に進む。ステップＳ４０の処理では、機器動作確認検出部７１は、前記機器が正常に動作したかどうかを確認する。例えば、エアコンを入れる操作を実行してそのエアコンディショナー４２の主電源が切れていた場合には、機器動作確認検出部７１は、当該エアコンディショナー４２が正常に動作しなかったとしてその確認結果を確認結果フィードバック部７２に送る。一方、機器動作確認検出部７１は、エアコンディショナー４２が正常に動作していた場合も、その確認結果を確認結果フィードバック部７２に送る。
【０１１７】
家電機器が正常に動作した場合は、確認結果フィードバック部７２は、ステップＳ４１の処理で発信部６１に対して発信元（固定電話３５又は携帯端末３６）へ呼び出し信号を１回発信するように指令する。また、家電機器が正常に動作しなかった場合は、確認結果フィードバック部７２は、ステップＳ４２の処理で発信部６１に対して発信元へ呼び出し信号を２回発信するように指令する。このように、送信者には、機器操作が正常に動作したか或いは動作しなかったのかのフィードバックがあるので、安心して自宅３８の外から家電機器を遠隔操作することができる。
【０１１８】
［変形例］
なお、第３の実施の形態では、固定電話３５又は携帯端末３６のメモリ４８に記憶した機器操作リスト４６の情報を表示部５０に表示するようにしたが、この機器操作リスト４６を表示しなくても構わない。その場合には、ユーザ自身が自宅３８にある家電機器の各操作と、その操作に割り当てられた呼び出し信号の呼び出し回数を記憶しておく。このようにしても、ユーザは、遠隔地から固定電話３５又は携帯端末３６を利用して自宅３８内の家電機器を操作することができる。
【０１１９】
また、第３の実施の形態で説明に挙げた家電機器の例はあくまで一例であり、これらに制限されることはない。また、受信端末装置３９は、専用の端末装置に制限されることはなく、例えばパーソナルコンピュータであっても構わない。また、この受信端末装置３９では、液晶ディスプレイなどの表示部をこの受信端末装置３９に設け、この表示部に、着信した呼び出し信号の呼び出し回数に割り当てられた機器操作情報や着信した送信端末の電話番号情報を表示させるようにしてもよい。
【０１２０】
この第３の実施の形態において、先の第１の実施の形態と同様に、遠隔操作を目的として固定電話３５又は携帯端末３６を操作したにも拘わらず、受信端末装置３９が呼び出し音を鳴らすと、例えば自宅３８内に家族がいた場合には電話に出てしまうことがあるため、機器操作のために着信があったときは送信された呼び出し回数までは呼び出し音は鳴らさない設定とする。こうすることによって、自宅３８にいる者は、機器操作の着信に対して誤って電話に出ることを防止することができる。
【０１２１】
＜第４の実施の形態＞
第４の実施の形態は、２回以上の呼び出し操作で簡易メッセージの送信と家電機器の遠隔操作を、１台の端末装置によって行う例である。この第４の実施の形態では、例えば図２０に示すように、簡易メッセージ情報と遠隔操作する機器操作情報とを同一のデータベースに登録してある。例えば、２回目の呼び出し信号の呼び出し回数（２回目のコール回数）が１回と２回には、簡易メッセージを登録してあり、３回以降には機器操作情報を登録してある。
【０１２２】
以下、２回の呼び出し操作で自宅３８にある家電機器を遠隔操作する場合の動作について説明する。第２の実施の形態では、２回の呼び出し操作で簡易メッセージを送受信する動作について説明したので、この第４の実施の形態では、家電機器を遠隔操作する動作処理についてのみ説明するものとする。また、この第４の実施の形態では、先の第３の実施の形態で家電機器を遠隔操作する送信動作を説明しているので、その送信動作についてはその説明を省略するものとし、受信側の処理についてのみ説明する。なお、第２の実施の形態及び第３の実施の形態で既に説明した処理動作と同一の処理については、その説明は簡略化するものとする。
【０１２３】
図２１に示すフローチャートは、受信端末装置３９で処理される機器操作工程の流れを示す。先ず、受信端末装置３９の電源がオンとなることでこの機器操作工程がスタートし、ステップＳ４３の処理で固定電話３５又は携帯端末３６から通信回線網３７を介して送信された呼び出し信号の着信を、受信端末装置３９の受信部５９が検出する。ステップＳ４４の処理では、発信者検出部６６がメモリ６０の電話番号リスト６３の中に発信者の電話番号情報が登録されているかを判別する。電場番号が登録されていれば、この機器操作工程は、次のステップＳ４５に進む。電話番号が登録されていなかったり、電話番号が非通知である場合には機器操作を行わずにこの機器操作工程は、ステップＳ４６の処理に進む。ステップＳ４６の処理では、通常の電話として処理され、この機器操作工程は終了となる。
【０１２４】
ステップＳ４５の処理では、機器動作確認検出部６７が自宅３８内の家電機器を操作できる状態にあるかどうかを確認する。機器動作確認検出部６７が、これら機器の操作ができないような場合は、この機器操作工程を終了する。機器の操作が動作可能な状態にある場合には、ステップＳ４７の処理で、呼び出し回数カウンタ６８が呼び出し信号の数をカウントする。そして、次のステップＳ４８の処理では、ＣＰＵ６２がその同一電話番号からの着信が何回目であったかを検出し、１回目の着信であればこの機器操作工程をステップＳ４９の処理に進める。ステップＳ４９の処理では、ＣＰＵ６２は、１回目の着信時に受信した着信回数をメモリ６０に保存する。そして、次のステップＳ５０の処理において、受信端末装置３９は次の着信があるのを待つ。
【０１２５】
一方、ステップＳ４８の処理において、１回目の着信ではなく２回目の着信であった場合には、ＣＰＵ６２は、この機器操作工程をステップＳ５１の処理に進める。ステップＳ５１の処理では、１回目の着信から所定時間が経過していないかどうかを判断する。所定時間が経過していない場合（所定時間内である場合）は、この機器操作工程はステップＳ５２に進み、所定時間が経過している場合は、この機器操作工程はステップＳ５３に進む。ステップＳ５３の処理では、ＣＰＵ６２は、発信元へ３回コールして２回目の着信による操作が無効であったことを送信者に知らせ、受信端末装置３９は着信の待ち受け状態に戻る。
【０１２６】
２回目の着信が連続したものとして判断されてステップＳ５２の処理に進むと、このステップＳ５２の処理では、機器操作検出部６９がカウントした呼び出し回数に対応したアサインがアサインデータベース４１にあるかどうかを検出する。アサインデータベース４１に検出した呼び出し回数に対応したアサインが登録されていない場合には、この機器操作工程は終了する。呼び出し回数に対応したアサインがアサインデータベース４１に登録されている場合には、ＣＰＵ６２は、この機器操作工程をステップＳ５４の処理に進める。
【０１２７】
ステップＳ５４の処理では、機器操作実行指令部７０が、その呼び出し回数に割り当てられている機器操作を実行する。例えば、図２２に示すように、１回目の呼び出し信号の呼び出し回数が３回、２回目の呼び出し信号の呼び出し回数が３回であると、その呼び出し回数には「お風呂を沸かす」という機器操作が割り当てられているため、機器操作実行指令部７０は、湯沸かし器４４の電源をオンとしてお風呂を沸かす動作をさせる。
【０１２８】
ステップＳ５４の処理で機器操作が終了すると、この機器操作工程は次のステップＳ５５の処理に進む。ステップＳ５５の処理では、機器動作確認検出部７１は、前記機器が正常に動作したかどうかを確認する。例えば、お風呂を沸かす操作を実行して湯沸かし器４４の主電源が切れていた場合には、機器動作確認検出部７１は、当該湯沸かし器４４が正常に動作しなかったとしてその確認結果を確認結果フィードバック部７２に送る。一方、機器動作確認検出部７１は、湯沸かし器４４が正常に動作していた場合も、その確認結果を確認結果フィードバック部７２に送る。
【０１２９】
家電機器が正常に動作した場合は、確認結果フィードバック部７２は、ステップＳ５６の処理で発信部６１に対して発信元へ呼び出し信号を１回発信するように指令する。また、家電機器が正常に動作しなかった場合は、確認結果フィードバック部７２は、ステップＳ５７の処理で発信部６１に対して発信元へ呼び出し信号を２回発信するように指令する。このように、送信者には、機器操作が正常に動作したか或いは動作しなかったかのフィードバックがあるので、安心して自宅３８の外から家電機器を遠隔操作することができる。
【０１３０】
［変形例］
第４の実施の形態では、遠隔操作によって自宅３８内の家電機器を操作する例として説明したが、この２次元データベースを使用して同一の端末装置により簡易メッセージも送信することができる。つまり、１台の固定電話３５又は携帯端末３６によって自宅３８内の家電機器を操作することもできるし、または、相手に簡易メッセージを送信することもできる。
【０１３１】
なお、以上の実施の形態においては、いずれも登録された発信者からの着信において動作され得る形態として説明したが、発信者を問わない形態とすることも可能であり、この場合、公衆電話などあらゆる発信器を用いることができる。
【０１３２】
【発明の効果】
本発明は、以上説明したような形態で実施され、以下に記載されるような効果を奏する。
【０１３３】
本発明によれば、音声／情報通信回線の接続を確立することなく、予め設定した条件の下で、簡単且つ確実にメッセージを送受信することができ、また、遠隔地から自宅内の家電機器を操作することができる。
【図面の簡単な説明】
【図１】メッセージ送受信機間で簡易メッセージが送受信される様子示す模式図である。
【図２】送信側のメッセージ送受信機のブロック図である。
【図３】受信側のメッセージ送受信機のブロック図である。
【図４】簡易メッセージの送信工程の流れを示すフローチャートである。
【図５】図５（ａ）は登録者リストの表示例を示す図、図５（ｂ）は簡易メッセージリストの表示例を示す図、図５（ｃ）は送信画面の表示例を示す図である。
【図６】簡易メッセージの受信工程の流れを示すフローチャートである。
【図７】各登録者に関連付けられた呼び出し回数と簡易メッセージの一例を示す図である。
【図８】図８（ａ）は簡易メッセージの着信画面の一例を示す図、図８（ｂ）は着信した簡易メッセージの表示例を示す図である。
【図９】１回目の呼び出し信号の呼び出し回数と２回目の呼び出し信号の呼び出し回数とによって送信すべきメッセージを決定する２次元データベースの一例を示す図である。
【図１０】図９に示した２次元データベースにおいて、１回目の呼び出しと２回目の呼び出しによってメッセージが選択された状態を示す図である。
【図１１】１回目の呼び出し信号の呼び出し回数と２回目の呼び出し信号の呼び出し回数とによって送信すべきメッセージを決定する第２の実施の形態において、受信側のメッセージ送受信機で簡易メッセージを表示するまでの動作処理を示すフローチャートである。
【図１２】固定電話又は携帯電話から自宅内の家電機器を遠隔操作する例を示す概念図である。
【図１３】固定電話又は携帯電話から自宅内の家電機器を遠隔操作する例を示すシステムブロック図である。
【図１４】固定電話又は携帯電話から自宅内の家電機器を遠隔操作するシステムに使用した、固定電話又は携帯電話のブロック図である。
【図１５】固定電話又は携帯電話から自宅内の家電機器を遠隔操作するシステムに使用した、受信端末装置のブロック図である。
【図１６】固定電話又は携帯電話から自宅内の家電機器を遠隔操作するシステムにおいて、固定電話又は携帯電話から受信端末装置に機器操作情報を送信するための送信工程の流れを示すフローチャートである。
【図１７】固定電話又は携帯電話から自宅内の家電機器を遠隔操作するシステムにおいて、（ａ）は固定電話又は携帯電話の表示部に表示された機器操作選択画面の表示例を示す図であり、（ｂ）は機器操作が選択されたときの表示例を示す図である。
【図１８】固定電話又は携帯電話から自宅内の家電機器を遠隔操作するシステムにおいて、受信端末装置の処理動作を示すフローチャートである。
【図１９】固定電話又は携帯電話から自宅内の家電機器を遠隔操作するシステムにおいて、機器操作とその機器操作に割り当てられた呼び出し信号の呼び出し回数とを示すデータベースの一例を示す図である。
【図２０】２回以上の呼び出し操作で簡易メッセージの送信と家電機器の遠隔操作を１台の端末装置によって行う場合に、簡易メッセージ情報と機器操作情報を同一のデータベースに登録した例を示す図である。
【図２１】２回以上の呼び出し操作で簡易メッセージの送信と家電機器の遠隔操作を１台の端末装置によって行う場合に、受信端末装置で処理される機器操作工程の流れをするフローチャートである。
【図２２】２回以上の操作で簡易メッセージの送信と家電機器の遠隔操作を１台の端末装置によって行う場合に、１回目の呼び出しと２回目の呼び出しで操作される機器が選択された例を示す図である。
【符号の説明】
１…送信側のメッセージ送受信機，２…受信側のメッセージ送受信機，３、５…基地局，４…交換局，１０…登録者リスト，１１…簡易メッセージリスト，１２…呼び出し回数リスト，１３，４８，６０…メモリ，２１，４５…操作部，２８，５２，６１…発信部，２９…送信先検出部，３０…選択メッセージ検出部，３１…送信決定操作検出部，３２…呼び出し回数検出部，３３…発信制御部，３５…固定電話，３６…携帯電話，３９…受信端末装置，４０…電話番号データベース，４１…アサインデータベース，４２…エアコンディショナー，４３…照明器具
【図１】
2004072333.tif 000003
【図２】
2004072333.tif 000004
【図３】
2004072333.tif 000005
【図４】
2004072333.tif 000006
【図５】
2004072333.tif 000007
【図６】
2004072333.tif 000008
【図７】
2004072333.tif 000009
【図８】
2004072333.tif 000010
【図９】
2004072333.tif 000011
【図１０】
2004072333.tif 000012
【図１１】
2004072333.tif 000013
【図１２】
2004072333.tif 000014
【図１３】
2004072333.tif 000015
【図１４】
2004072333.tif 000016
【図１５】
2004072333.tif 000017
【図１６】
2004072333.tif 000018
【図１７】
2004072333.tif 000019
【図１８】
2004072333.tif 000020
【図１９】
2004072333.tif 000021
【図２０】
2004072333.tif 000022
【図２１】
2004072333.tif 000023
【図２２】
2004072333.tif 000024
【手続補正書】
【提出日】平成15年7月23日(2003.7.23)
【手続補正１】
【補正対象書類名】明細書
【補正対象項目名】特許請求の範囲
【補正方法】変更
【補正の内容】
【特許請求の範囲】
【請求項１】
呼び出し信号の発信回数が関連付けられた、受信側と送信側とで予め定められた１又は２以上の情報データの中から、送信側の通信手段で１つの情報データを選択し、
前記選択された情報データに対応する呼び出し信号の発信回数を検出し、
前記検出した発信回数分だけ前記呼び出し信号の発信を行い、
受信側の通信手段で断続的に着信する前記呼び出し信号の数をカウントし、
前記呼び出し信号の数と関連付けられた情報データの中から、前記カウントした呼び出し信号の数と対応する情報データを検出し、その検出した情報データを受信側の通信手段に通知する
ことを特徴とする情報データ送受信方法。
【請求項２】
請求項１に記載の情報データ送受信方法であって、
前記情報データは、メッセージデータであることを特徴とする情報データ送受信方法。
【請求項３】
請求項２に記載の情報データ送受信方法であって、
前記検出したメッセージデータを受信側の表示手段に表示することを特徴とする情報データ送受信方法。
【請求項４】
請求項１に記載の情報データ送受信方法であって、
前記情報データは、受信側の通信手段と接続された家電機器を操作する機器操作データであることを特徴とする情報データ送受信方法。
【請求項５】
請求項４に記載の情報データ送受信方法であって、
前記受信側の通信手段は、検出した機器操作データに応じて前記家電機器を動作させることを特徴とする情報データ送受信方法。
【請求項６】
請求項５に記載の情報データ送受信方法であって、
前記家電機器が正常に動作した情報又は正常に動作しなかった情報を、受信側の通信手段から送信側の通信手段にフィードバックすることを特徴とする情報データ送受信方法。
【請求項７】
請求項６に記載の情報データ送受信方法であって、
前記送信側の通信手段へのフィードバックは、前記家電機器が正常に動作し又は正常に動作しなかったときに応じて予め決められた呼び出し信号の回数をフィードバック情報としたことを特徴とする情報データ送受信方法。
【請求項８】
請求項１〜請求項７のうち何れかに記載の情報データ送受信方法であって、
前記情報データは、ｎ次元のデータ構造であることを特徴とする情報データ送受信方法。
【請求項９】
呼び出し信号の発信回数が関連付けられた、受信側と送信側とで予め定められた１又は２以上の情報データの中から１つを選択し、
前記選択された情報データに対応する呼び出し信号の発信回数を検出し、
前記検出した発信回数分だけ前記呼び出し信号の発信を行う
ことを特徴とする情報データ送信方法。
【請求項１０】
請求項９に記載の情報データ送信方法であって、
前記情報データは、メッセージデータであることを特徴とする情報データ送信方法。
【請求項１１】
請求項９に記載の情報データ送信方法であって、
前記情報データは、遠隔地にある家電機器を操作する機器操作データであることを特徴とする情報データ送信方法。
【請求項１２】
請求項９〜請求項１１の何れかに記載の情報データ送信方法であって、
前記情報データは、ｎ次元のデータ構造であることを特徴とする情報データ送信方法。
【請求項１３】
断続的に着信する呼び出し信号の数をカウントし、
前記呼び出し信号の数と関連付けられた情報データの中から、前記カウントした呼び出し信号の数と対応する情報データを検出し、その検出した情報データを受信側の通信手段に通知する
ことを特徴とする情報データ受信方法。
【請求項１４】
請求項１３に記載の情報データ受信方法であって、
前記情報データは、メッセージデータであることを特徴とする情報データ受信方法。
【請求項１５】
請求項１３に記載の情報データ受信方法であって、
前記検出したメッセージデータを受信側の表示手段に表示することを特徴とする情報データ受信方法。
【請求項１６】
請求項１３に記載の情報データ受信方法であって、
前記情報データは、受信側の通信手段と接続された家電機器を操作する機器操作データであることを特徴とする情報データ受信方法。
【請求項１７】
請求項１６に記載の情報データ受信方法であって、
前記受信側の通信手段は、検出した機器操作データに応じて前記家電機器を動作させることを特徴とする情報データ受信方法。
【請求項１８】
呼び出し信号の発信回数が関連付けられた、受信側と送信側とで予め定められた１又は２以上の情報データを記憶したメモリの中から１つを選択する選択手段と、
前記選択された情報データに対応する呼び出し信号の発信回数を検出する検出手段と、
前記検出した発信回数分だけ前記呼び出し信号の発信が行われるように発信部を制御する発信制御手段としてコンピュータを機能させるための情報データ送信プログラムを記憶したコンピュータ読み取り可能な記憶媒体。
【請求項１９】
断続的に着信する呼び出し信号の数をカウントするカウント手段と、
前記呼び出し信号の数と関連付けられた情報データを記憶したメモリの中から、前記カウントした呼び出し信号の数と対応する情報データを検出し、その検出した情報データを表示手段に通知する通知手段としてコンピュータを機能させるための情報データ受信プログラムを記憶したコンピュータ読み取り可能な記憶媒体。
【請求項２０】
呼び出し信号の発信回数が関連付けられた、受信側と送信側とで予め定められた１又は２以上の情報データを記憶したメモリの中から１つを選択する選択手段と、
前記選択された情報データに対応する呼び出し信号の発信回数を検出する検出手段と、
前記検出した発信回数分だけ前記呼び出し信号の発信が行われるように発信部を制御する発信制御手段とを備えた
ことを特徴とする送信機。
【請求項２１】
断続的に着信する呼び出し信号の数をカウントするカウント手段と、
前記呼び出し信号の数と関連付けられた情報データを記憶したメモリの中から、前記カウントした呼び出し信号の数と対応する情報データを検出し、その検出した情報データを表示手段に通知する通知手段とを備えた
ことを特徴とする受信機。
【請求項２２】
請求項２１に記載の受信機であって、
前記情報データは、メッセージデータであることを特徴とする受信機。
【請求項２３】
請求項２２に記載の受信機であって、
前記検出したメッセージデータを受信側の表示手段に表示させる表示制御手段を有することを特徴とする受信機。
【請求項２４】
請求項２１に記載の受信機であって、
前記情報データは、受信側の通信手段と接続された家電機器を操作する機器操作データであることを特徴とする受信機。
【請求項２５】
請求項２４に記載の受信機であって、
前記受信側の通信手段は、検出した機器操作データに応じて前記家電機器を動作させる機器操作指令手段を有したことを特徴とする受信機。
【請求項２６】
請求項２１〜請求項２５に記載の受信機であって、
前記情報データは、ｎ次元のデータ構造であることを特徴とする受信機。
【請求項２７】
呼び出し信号の発信回数が関連付けられた情報データを記憶したメモリの中から所定の情報データを選択する選択手段と、
前記情報データに関連付けられた呼び出し信号の発信回数を検出する検出手段と、
発信部を制御する発信制御手段と、
着信する前記呼び出し信号の数をカウントするカウント手段と、
前記カウントした呼び出し信号の数と対応する情報データをメモリの中から検出する情報データ検出手段と、
検出された前記情報データを表示手段に通知する通知手段とを備え、
情報データを送信するときは、前記選択手段が受信側と送信側とで予め定められた１又は２以上の情報データの中から１つの情報データを選択し、前記検出手段が前記選択された情報データに対応する呼び出し信号の発信回数を検出し、前記発信制御手段が前記検出した発信回数分だけ前記呼び出し信号の発信が行われるように発信部を制御し、
情報データを受信するときは、前記カウント手段が断続的に着信する呼び出し信号の数をカウントし、前記情報データ検出手段が前記呼び出し信号の数と関連付けられた情報データの中から、前記カウントした呼び出し信号の数と対応する情報データを検出し、前記通知手段が前記検出した情報データを前記表示手段に通知する
ことを特徴とする送受信機。
【請求項２８】
請求項２７に記載の送受信機であって、
前記検出した情報データを表示手段に表示させる表示制御手段を有することを特徴とする送受信機。
【請求項２９】
呼び出し信号の発信回数が関連付けられた、受信側と送信側とで予め定められた１又は２以上の情報データを記憶したメモリの中から１つを選択する選択手段と、前記選択された情報データに対応する呼び出し信号の発信回数を検出する検出手段と、前記検出した発信回数分だけ前記呼び出し信号の発信が行われるように発信部を制御する発信制御手段とを有した送信機と、
断続的に着信する呼び出し信号の数をカウントするカウント手段と、前記呼び出し信号の数と関連付けられた情報データを記憶したメモリの中から、前記カウントした呼び出し信号の数と対応する情報データを検出し、その検出した情報データを表示手段に通知する通知手段とを有した受信機と、
前記送信機の前記発信制御手段からの指令に基づいて前記発信回数分だけの呼び出し信号を前記受信機に発信する交換局とからなる
ことを特徴とする情報データ送受信システム。
【請求項３０】
請求項２９に記載の情報データ送受信システムであって、
前記情報データは、メッセージデータであることを特徴とする情報データ送受信システム。
【請求項３１】
請求項２９に記載の情報データ送受信システムであって、
前記情報データは、前記受信機と接続された家電機器を操作する機器操作データであることを特徴とする情報データ送受信システム。
【請求項３２】
請求項３１に記載の情報データ送受信システムであって、
前記受信機は、検出した機器操作データに応じて前記家電機器を動作させる機器操作手段を有していることを特徴とする情報データ送受信システム。
【請求項３３】
呼び出し信号の発信回数が関連付けられた、受信側と送信側とで予め定められた１又は２以上の情報データを記憶したメモリの中から１つを選択する選択手段と、
前記選択された情報データに対応する呼び出し信号の発信回数を検出する検出手段と、
前記検出した発信回数分だけ前記呼び出し信号の発信が行われるように発信部を制御する発信制御手段としてコンピュータを機能させる情報データ送信プログラム。
【請求項３４】
断続的に着信する呼び出し信号の数をカウントするカウント手段と、
前記呼び出し信号の数と関連付けられた情報データを記憶したメモリの中から、前記カウントした呼び出し信号の数と対応する情報データを検出し、その検出した情報データを表示手段に通知する通知手段としてコンピュータを機能させる情報データ受信プログラム。
【請求項３５】
請求項３４に記載の情報データ受信プログラムであって、
検出した情報データに応じて家電機器を動作させる機器操作指令手段としてコンピュータを機能させる情報データ受信プログラム。
【請求項３６】
請求項３５に記載の情報データ受信プログラムであって、
前記家電機器が正常に動作した情報又は正常に動作しなかった情報を、送信先にフィードバックするフィードバック手段としてコンピュータを機能させる情報データ受信プログラム。